(57)【要約】  本発明では、レーザーパネルと、レーザーアレイ装置と、レーザーディスプレイと、を開示する。上記レーザーパネルおよびレーザーアレイ装置は、それぞれ複数組の独立したレーザ光源モジュールを含む；各組のレーザー光源モジュールは複数個の光源を含む；上記複数個の光源は全てインクジェット印刷で製造される；上記レーザーディスプレイおよび電圧駆動型レーザーディスプレイは、それぞれ上記のレーザーパネルを含む。本発明の技術案では、インクジェット印刷によるレーザーパネルの製造を実現し、これは、レーザーパネルの安価かつ工業化製造に新しい技術案を提供する；その次に、上記レーザー光源モジュールからの発射光の間には、レーザコヒーレンス重合が生成し難いため、通常のレーザーディスプレイ技術におけるレーザーコヒーレンスに起するスペックル現象を大いに解消する。最後に、電圧駆動型レーザーディスプレイを現実化することで、ディスプレイの小型化に寄与するともに、より優れた表示効果に寄与する。
2020521327.tif 000002
【特許請求の範囲】
【請求項１】
ディスプレイに用いて、
複数組の独立したレーザー光源モジュールを含み、
レーザー光源モジュール組ごとに複数個の光源を含み、
上記複数個の光源は全てインクジェット印刷により製造される、レーザーパネル。
【請求項２】
上記複数個の光源の少なくと二つの光源が同じ励起条件下で異なる色の光を発射する、請求項１に記載のレーザーパネル。
好ましくは、上記の各レーザー光源モジュール組は、フェムト秒レーザーにより上記複数個の光源を励起する。
好ましくは、上記レーザーパネルは、直流電圧またはパルス電圧により上記複数個の光源を励起する。
好ましくは、上記レーザーパネルを１個の画像表示に用いる場合、上記各レーザー光源モジュール組が励起され発射する光は、全て上記画像の一つの画素に対応する。
好ましくは、上記複数個の光源中のそれぞれの光源すべては、ミリメートルサイズ、またはマイクロメートルサイズまたはより小さいサイズである。
好ましくは、各レーザー光源モジュール組にはＲＧＢ三色光源が含まれる。
好ましくは、上記インクジェット印刷インクには、発光染料およびホスト材料が含まれる。
好ましくは、上記インクジェット印刷は、１個または複数個の印刷ヘッドを使う；上記インクジェットの印刷ヘッドは、逐次印刷、または１回の印刷で各レーザー光源モジュール組中の個々の光源を印刷する。
好ましくは、上記印刷ヘッドのサイズは、上記各光源のサイズで決まる。
【請求項３】
複数組の独立したレーザー光源モジュールを含み、
レーザー光源モジュール組ごとに複数個の光源を含み、
上記複数個の光源は全てインクジェット印刷により製造される、レーザーアレイ装置。
【請求項４】
請求項３に記載のレーザーアレイ装置であって、
好ましくは、上記複数個の光源のうち、少なくとも２つの光源が同じ励起条件下で異なる色の光を発射することがでる；
好ましくは、各組のレーザー光源モジュールは、フェムト秒レーザーにより複数個の光源を励起する；
好ましくは、上記レーザーアレイ装置は、直流電圧またはパルス電圧により上記複数個の光源を励起する；
好ましくは、上記レーザーアレイ装置を１個の画像表示に用いる場合、上記各レーザー光源モジュール組が励起され発射する光は、全て上記画像の一つの画素に対応する；
好ましくは、上記複数個の光源中のそれぞれの光源すべては、ミリメートルサイズ、またはマイクロメートルサイズまたはより小さいサイズである；
好ましくは、各レーザー光源モジュール組には、ＲＧＢ三色光源が含まれる；
好ましくは、上記インクジェット印刷のインクには、発光染料およびホスト材料が含まれる；
好ましくは、上記インクジェット印刷は、１個または複数個の印刷ヘッドを使う；上記印刷ヘッドは、逐次印刷、または１回の印刷で各レーザー光源モジュール組中の個々の光源を印刷する；
好ましくは、上記印刷ヘッドのサイズは、上記各光源のサイズで決まる、レーザーアレイ装置。
【請求項５】
請求項３又は４に記載のレーザーアレイ装置を含むレーザープロジェクター。
【請求項６】
請求項３又は４に記載のレーザーアレイ装置を含むレーザー薄膜。
【請求項７】
レーザーパネルを含み、
上記レーザーパネルは、複数組の独立したレーザー光源モジュールを含み、
各組のレーザー光源モジュールには複数個の光源が含まれ、
上記複数個の光源は全てインクジェット印刷により製造されるレーザーディスプレイ。
【請求項８】
請求項７に記載のレーザーディスプレイであって、
好ましくは、上記複数個の光源のうち、少なくとも２つの光源が同じ励起条件下で異なる色の光を発射することができる；
好ましくは、上記各組のレーザー光源モジュールは、１束のフェムト秒レーザーにより上記複数個の光源を励起する；
好ましくは、上記レーザーディスプレイは、直流電圧またはパルス電圧により上記複数個の光源を励起する；
好ましくは、上記レーザーディスプレイを１個の画像表示に用いる場合、上記各レーザー光源モジュール組が励起されて発射する光は、全て上記画像の一つの画素に対応する；
好ましくは、上記複数個の光源中の個々の光源は、全てミリメートルサイズ、またはマイクロメートルサイズまたはより小さいサイズである；
好ましくは、各組のレーザー光源モジュールにはＲＧＢ三色光源が含まれる；
好ましくは、上記インクジェット印刷のインクには、発光染料およびホスト材料が含まれる；
好ましくは、上記インクジェット印刷は、１個または複数個の印刷ヘッドを使う；上記印刷ヘッドは、逐次印刷、または１回の印刷で各レーザー光源モジュール組中の個々の光源を印刷する；
好ましくは、上記印刷ヘッドのサイズは、上記各光源のサイズで決まる、レーザーディスプレイ。
【請求項９】
レーザーパネルを含み、
上記レーザーパネルは、複数組の独立したレーザー光源モジュールを含み、
各組のレーザー光源モジュールには複数個の光源が含まれ、
上記複数個の光源は全てインクジェット印刷にて製造され、かつ、直流電圧またはパルス電圧の作用下で励起される、電圧駆動のレーザーディスプレイ。
【請求項１０】
上記複数個の光源のうち、少なくとも２つの光源が同じ励起条件下で異なる色の光を発射することができる、請求項９に記載のレーザーディスプレイ。
好ましくは、上記直流電圧は約３Ｖである；パルス周波数と振幅は表示に必要なリフレッシュレートと合致する。
好ましくは、上記複数個の光源における個々の光源は、独立的に各自の駆動ユニットにより制御される。
好ましくは、上記レーザーディスプレイを１個の画像表示に用いる場合、上記各組のレーザー光源モジュールが励起されて発射する光は、全て上記画像のひとつの画素に対応する。
好ましくは、上記複数個の光源中の個々の光源は、全てミリメートルサイズ、またはマイクロメートルサイズまたはより小さいサイズである。
好ましくは、各組のレーザー光源モジュールには、ＲＧＢ三色光源が含まれる。
好ましくは、上記インクジェット印刷のインクには、発光染料およびホスト材料が含まれる。
好ましくは、上記インクジェット印刷は、１個または複数個の印刷ヘッドを使う；上記印刷ヘッドは、逐次印刷、または１回の印刷で各レーザー光源モジュール組中の個々の光源を印刷する。
好ましくは、上記印刷ヘッドのサイズは、上記各光源のサイズで決まる。
【発明の詳細な説明】
【技術分野】
【０００１】
本発明は、レーザー分野に関するものであり、特にレーザーパネル、レーザーアレイ装置及びレーザディスプレイに関するものである。
【背景技術】
【０００２】
レーザーディスプレイおよびレーザー光源分野において、既存のレーザーディスプレイ技術は、レーザーの強いコヒーレンス干渉効果によるレーザースペックルが発生され表示品質が大いに低下されるため、スクリーン振動などの手段でスペックルを解除せざるをえない。なお、既存の技術には、レーザーディスプレイのコア部品であるレーザーパネルを速く量産する技術と、上記パネル内の全ての点にそれぞれ異なる色のレーザー光を発射させるような技術が欠けている。同時に、既存の技術には、レーザーアレイ装置を速く量産する技術と、上記レーザーアレイ装置内の全ての点にそれぞれ異なる色のレーザー光を発射させるような技術も欠けている。さらに指摘すると、既存の技術では、レーザーディスプレイの体積も大きく、駆動も複雑である。
【発明の概要】
【０００３】
上記課題を解決するため、本発明ではインクジェット印刷により製造し得るので、安価かつ工業化製造を実現したレーザーパネルを提供する。なお、上記レーザーパネルは複数組の独立したレーザー光源モジュールを含み、各レーザー光源モジュール組は発光するとき互いに独立されるため、ようく見られるレーザーコヒーレンスによるスペックル現象を大いに解消する。
【０００４】
本発明は、以下の技術案により実現される：
複数組の独立したレーザー光源モジュールを含み、
レーザー光源モジュール組ことに複数個の光源を含み、
上記複数個の光源は全てインクジェット印刷にて製造されるレーザーパネル。
【０００５】
好ましくは、上記複数個の光源の少なくと二つの光源が同じ励起条件下で異なる色の光を発射できる。
【０００６】
好ましくは、上記の各レーザー光源モジュール組は、フェムト秒レーザーにより上記複数個の光源を励起する。
【０００７】
好ましくは、上記レーザーパネルは、直流電圧により上記複数個の光源を励起する。
【０００８】
好ましくは、上記レーザーパネルを１個の画像表示に用いる場合、上記各レーザー光源モジュール組が励起され発射する光は、全て上記画像の一つの画素に対応する。
【０００９】
好ましくは、上記複数個の光源中のそれぞれの光源すべては、ミリメートルサイズ、またはマイクロメートルサイズまたはより小さいサイズである。
【００１０】
好ましくは、各レーザー光源モジュール組には三つの光源が含まれ、各自赤・緑・青三色である。即ち、ＲＧＢ三色光源である。
【００１１】
好ましくは、上記インクジェット印刷インクには、発光染料およびホスト材料が含まれる。
【００１２】
好ましくは、上記インクジェット印刷は、１個または複数個の印刷ヘッドを使う；上記インクジェットの印刷ヘッドは、逐次印刷、または１回の印刷で各レーザー光源モジュール組中の個々の光源を印刷する。
【００１３】
好ましくは、上記印刷ヘッドのサイズは、上記各光源のサイズで決まる。
【００１４】
上記課題を解決するため、本発明では、斬新なレーザーアレイ装置を提供する。上記レーザーアレイ装置は、複数組の独立したレーザー光源モジュールを含むため、各組のレーザー光源モジュールの発光を互いに独立させることができ、その発射光間のレーザーコヒーレンスも発生しにくくなり、よく見られるレーザーコヒーレンスによるスペックル現象を大いに解消する。
【００１５】
本発明は、以下の技術案により実現される：
複数組の独立したレーザー光源モジュールを含み、
レーザー光源モジュール組ことに複数個の光源を含み、
上記複数個の光源は全てインクジェット印刷にて製造し得るレーザーアレイ装置。
【００１６】
好ましくは、上記複数個の光源のうち、少なくとも２つの光源が同じ励起条件下で異なる色の光を発射することができる。
【００１７】
好ましくは、各組のレーザー光源モジュールは、フェムト秒レーザーにより複数個の光源を励起することができる。
【００１８】
好ましくは、上記レーザーアレイ装置は、直流電圧またはパルス電圧により上記複数個の光源を励起する。
【００１９】
好ましくは、上記レーザーアレイ装置を１個の画像表示に用いる場合、上記各レーザー光源モジュール組が励起され発射する光は、全て上記画像の一つの画素に対応する。
【００２０】
好ましくは、上記複数個の光源中のそれぞれの光源すべては、ミリメートルサイズ、またはマイクロメートルサイズまたはより小さいサイズである。
【００２１】
好ましくは、各レーザー光源モジュール組には、三つの単色光源が含まれるが、各自赤・緑・青三色である。即ち、ＲＧＢ三色光源である。
【００２２】
好ましくは、上記インクジェット印刷のインクには、発光染料およびホスト材料が含まれる。
【００２３】
好ましくは、上記インクジェット印刷は、１個または複数個の印刷ヘッドを使う；上記印刷ヘッドは、逐次印刷、または１回の印刷で各レーザー光源モジュール組中の個々の光源を印刷する。
【００２４】
好ましくは、上記印刷ヘッドのサイズは、上記各光源のサイズで決まる。
【００２５】
そして、本発明では、さらにレーザープロジェクターも提供する。
【００２６】
上記レーザープロジェクターは、上記何かの一項に記載のレーザーアレイ装置を含む。
【００２７】
そして、本発明では、さらにレーザー薄膜も提供する。
【００２８】
上記レーザー薄膜は、上記何かの一項に記載のレーザーアレイ装置を含む。
【００２９】
上記課題を解決するため、本発明ではレーザーディスプレイを提供する。これはレーザーディスプレイの安価かつ工業化製造に新しい技術案を提供する。なお、複数組の独立したレーザー光源モジュールは、各組のレーザー光源モジュールが発光するとき互いに独立されるので、よく見られるレーザーコヒーレンスによるスペックル現象を大幅に除去する。
【００３０】
本発明は、以下の実施案により実現される：
レーザーパネルを含み、
上記レーザーパネルは、複数組の独立したレーザー光源モジュールを含み、
各組のレーザー光源モジュールには複数個の光源が含まれ、
上記複数個の光源は全てインクジェット印刷にて製造されるレーザーディスプレイ。
【００３１】
好ましくは、上記複数個の光源のうち、少なくとも２つの光源が同じ励起条件下で異なる色の光を発射することができる。
【００３２】
好ましくは、上記各組のレーザー光源モジュールは、１束のフェムト秒レーザーにより上記複数個の光源を励起する。
【００３３】
好ましくは、上記レーザーディスプレイは、直流電圧により上記複数個の光源を励起する。
【００３４】
好ましくは、上記レーザーディスプレイを１個の画像表示に用いる場合、上記各レーザー光源モジュール組が励起されて発射する光は、全て上記画像の一つの画素に対応する。
【００３５】
好ましくは、上記複数個の光源中の個々の光源は、全てミリメートルサイズ、またはマイクロメートルサイズまたはより小さいサイズである。
【００３６】
好ましくは、各組のレーザー光源モジュールには三つの光源が含まれ、各自赤・緑・青三色である。即ち、ＲＧＢ三色光源である。
【００３７】
好ましくは、上記インクジェット印刷のインクには、発光染料およびホスト材料が含まれる。
【００３８】
好ましくは、上記インクジェット印刷は、１個または複数個の印刷ヘッドを使う；上記印刷ヘッドは、逐次印刷、または１回の印刷で各レーザー光源モジュール組中の個々の光源を印刷する。
【００３９】
好ましくは、上記印刷ヘッドのサイズは、上記各光源のサイズで決まる。
【００４０】
上記課題を解決するため、本発明では電圧駆動のレーザーディスプレイを提供する。これはレーザーディスプレイの安価かつ工業化製造に新しい技術案を提供する。なお、複数組の独立したレーザー光源モジュールは、各レーザー光源モジュール組が発光するとき互いに独立されるので、よく見られるレーザーコヒーレンスによるスペックル現象を大いに解消する。
【００４１】
本発明は、以下の技術案により実現される：
レーザーパネルを含み、
上記レーザーパネルは、複数組の独立したレーザー光源モジュールを含み、
各組のレーザー光源モジュールには複数個の光源が含まれ、
上記複数個の光源は全てインクジェット印刷にて製造され、かつ、直流電圧またはパルス電圧の作用下で励起される、電圧駆動のレーザーディスプレイ。
【００４２】
好ましくは、上記複数個の光源のうち、少なくとも２つの光源が同じ励起条件下で異なる色の光を発射することができる。
【００４３】
好ましくは、上記直流電圧は約３Ｖである。
【００４４】
好ましくは、上記複数個の光源における個々の光源は、独立的に各自の駆動ユニットにより制御される。
【００４５】
好ましくは、上記レーザーディスプレイを１個の画像表示に用いる場合、上記各組のレーザー光源モジュールが励起されて発射する光は、全て上記画像の一つの画素に対応する。
【００４６】
好ましくは、上記複数個の光源中の個々の光源は、全てミリメートルサイズ、またはマイクロメートルサイズまたはより小さいサイズである。
【００４７】
好ましくは、各組のレーザー光源モジュールには、三つの光源が含まれ、各自赤・緑・青三色である。即ち、ＲＧＢ三色光源である。
【００４８】
好ましくは、上記インクジェット印刷のインクには、発光染料およびホスト材料が含まれる。
【００４９】
好ましくは、上記インクジェット印刷は、１個または複数個の印刷ヘッドを使う；上記印刷ヘッドは、逐次印刷、または１回の印刷で各レーザー光源モジュール組中の個々の光源を印刷する。
【００５０】
好ましくは、上記印刷ヘッドのサイズは、上記各光源のサイズで決まる。
【発明の効果】
【００５１】
１、本発明によって提供される諸技術案は、まず、インクジェット印刷によるレーザーパネル製造を実現した。、これはレーザーパネルの安価かつ工業化製造に新しい技術案を提供する。次に、上記レーザーパネルは、複数組の独立したレーザー光源モジュールを含むため、各組のレーザー光源モジュールが発光するとき互いに独立され、その発射光間のレーザーコヒーレンス重合も発生し難くなり、よく見られるレーザーコヒーレンスによるスペックル現象を大幅に解消する。
【００５２】
２、本発明が提供する技術案は、インクジェット印刷によるレーザーアレイ装置の製造を現実化した。これはレーザーアレイ装置の安価かつ工業化製造に新しい技術案を提供する。次に、上記レーザーアレイ装置は、複数組の独立したレーザー光源モジュールを含むため、各組のレーザー光源モジュールが発光するとき互いに独立され、その発射光間にレーザーコヒーレンスが発生し難くなり、よく見られるレーザーコヒーレンスによるスペックル現象を大幅に解消する。
【００５３】
３、本発明によって提供される諸技術案は、まずは、インクジェット印刷によるレーザーディスプレイの核心部品であるパネルの製造を実現した。これは、レーザーディスプレイの安価かつ工業化製造に新しい技術案を提供する。次に、複数組の独立したレーザー光源モジュールは、各レーザー光源モジュール組が発光するとき互いに独立されるため、発射光間にレーザーコヒーレンス重合が発生し難くなり、よく見られるレーザーコヒーレンスによるスペックル現象を大幅に解消する。
【００５４】
４、本発明により提供される諸技術案は、まずは、インクジェット印刷による電圧駆動のレーザーディスプレイの核心部品であるパネルの製造を実現した。これは、レーザーディスプレイの安価かつ工業化製造に新しい技術案を提供する。次に、複数組の独立したレーザー光源モジュールは、各レーザー光源モジュール組が発光するとき互いに独立されるため、発射光間にレーザーコヒーレンス重合が発生し難くなり、よく見られるレーザーコヒーレンスによるスペックル現象を大幅に解消する。
【図面の簡単な説明】
【００５５】
【図１】図１は、本発明の一実施例におけるレーザーパネルまたはレーザーアレイ装置の概略図である。
【図２】図２は、本発明の一実施例におけるレーザーパネルまたはレーザーアレイ装置のインクジェット印刷過程の概略図である。
【図３】図３は、本発明の一実施例におけるレーザーパネルまたはレーザーアレイ装置のインクジェット印刷過程のもう１つの概略図である。
【実施例】
【００５６】
当業者が本発明で開示する技術案を理解し易いように、以下実施例及び関連図面をもって、各々の実施例の技術案に対して説明するが、説明された実施例は本発明の一部の実施例であるだけに、全部の実施例ではない。本発明で使われる用語「第１」、「第２」などは、各対象を区別するために使われるもので、特定の順序を説明するものではない。そして、「含む」および「有する」およびそれらのいずれの変形は、包括すること、かつ排他的ではないことを示す。例えば、一連のステップまたはユニットを含む過程、または方法、またはシステム、または製品、またはデバイスは、例示されたステップまたはユニットに限定するものではなく、任意的に例示されてないステップまたはユニットもさらに含み、または任意的さらにこれらの過程、方法、システム、製品、またはデバイスについて固有の他のステップまたはユニットも含む。
【００５７】
本明細書で言及される「実施例」とは、実施例で説明された特定の特徴、構造、または特性が本発明の少なくとも１つの実施例内に含まれることを意味する。本明細書中の各々のぶん句にでてくる当単語組みは、必ずしも同じ実施例を指すとは限らず、他の実施例と互に排斥的で独立または選択待ちの実施例でもない。当業者が理解することは、本明細書に記載の実施例は他の実施例と組み合わせることができる。
【００５８】
図１の（ｂ）および（ｃ）を参照すると、本発明の一実施例ではレーザーパネルを示している。
【００５９】
上記レーザーパネルはディスプレイに用いられる；上記レーザーパネルは複数組の独立したレーザー光源モジュールを含む；
各組のレーザー光源モジュールは複数個の光源を含む；上記複数個の光源はすべてインクジェット印刷により製造される。
【００６０】
わかることは、インクジェット印刷にはインクが必要である。レーザーパネルに対応して、上記インクはレーザー染料をドーピングしたポリマー溶液を採用することができる。
【００６１】
レーザー染料は、当業界で知られている通常の染料であり、例えば、ヘミシアニン系レッドライト染料、オリゴポリスチレン系ブルーライト染料、クマリン系グリーンライト染料またはローダミン系染料がある。例えば、クマリンー１５３、またはクマリン６またはローダミン６Ｇ染料がある。
【００６２】
好ましいレーザー染料は、ｐ−スチルベン、フルオレセインナトリウム塩およびローダミンＢ三種のレーザー染料及びその混合物であり、より好ましくは三者の混合物である。
【００６３】
もう一つの実施例のうち、上記レーザーパネルの基板は、その上でインクジェット印刷で光源を印刷しやすいだけで良い。より好ましく、基板は一定の透光性を必要とする。例示的に、基板は（１）フッ化マグネシウムめっきのシルバーミラーサブストレート；（２）分布ブラッグ反射器（ＤＢＲ）サブストレートなどから選ばれるいずれの１種で良い。
【００６４】
もう一実施例のうち、上記複数個光源のうち少なくとも２つの光源は、同じ励起条件下で異なる色の光を発射することができる。
【００６５】
説明した実施例にとって言えば、これにより少なくとも２つの光源さえあれば各組のレーザー光源モジュールの混色を実現できる。より有利なことは、上記実施例では同じ励起条件を基盤に、上記光源をフェムト秒レーザーで励起することを例示したため、当業者は、１種の波長のフェムト秒レーザーだけで少なくとも２つの光源の混色を実現することができる。即ち、光１束で少なくとも２つの光源を励起し、混色を実現する。
【００６６】
インクジェットで印刷した上記複数個の光源は全てインクにより印刷され、上記複数個の光源は一般的に微球形であり、確実に言えば半球形であることがわかる。上記レーザーパネル内に光源を製造し得る過程において、インクジェット印刷に使われるインクは液体であるが、造られた光源は最終的に固体であるため、インクジェット印刷中に一般的に個々の光源同士は接触させず、相互融合されることを防ぐものとする。
【００６７】
つまり、個々の光源同士は一般的に接触せず、間隔を持たす；もし個々の光源を半球と理解すれば、複数個の光源にとって、第１半球と第２半球（甚しくは第３半球などでさえ）は互いに接しない。
【００６８】
理解できることは、少なくとも２つの光源を混色するにあたり、選択的に、フェムト秒レーザーで上記少なくとも２つの光源を励起するが、１束のフェムト秒レーザーだけを使うのであれば、そのフェムト秒レーザーは上記少なくとも２つの光源を同時励起することを必須とする。こうなった場合、上記複数個の光源のうち少なくとも２つの光源は、同じ励起条件下で異なる色の光を発射することができるので、上記実施例は上記各組のレーザー光源モジュールでの混色を実現することになる。混色は非常に意義のあることであり、例えば、ＲＧＢ三原色に基づく様々な色を造れる。
【００６９】
指摘すべきなのは、本発明では、上記複数個の光源の少なくとも２つの光源は同じ励起条件下で同じ色の光を発射することを許容する。例えば、ある特定の単色の強光を実現するためには、各組のレーザー光源モジュール内の複数個の光源は同じ光源でも良いので、上記複数個の光源の個々の光源全ては同じ励起条件下で同じ色の光を発射できる。このようなレーザーパネルは単色表示分野に用いられる。
【００７０】
上文では、もう一つの実施例のなかで、上記各組のレーザー光源モジュールはフェムト秒レーザーで上記複数個の光源を励起することを指摘した。以下、フェムト秒レーザーに関する実施例をさらに詳しく説明する。
【００７１】
具体的なフェムト秒レーザーのパラメーター、例えば波長は、上記インクが硬化されたあと形成した光源自体で決まる。レーザーに励起されることは、必ずインクが硬化されて形成した光源自体が吸収するスペクトルと関係する。即ち、ここでいう波長は、インクが硬化され形成した光源の吸収スペクトルによって決まる。
【００７２】
仮に、各組のレーザー光源モジュールに３つの光源が含まれ、個々の光源はインクジェットで一種の具体的レーザー染料を印刷すると、３種の染料で製造した上記３つの光源が全て同じ波長のレーザーに励起される場合、当業者は、励起条件としてこの波長のレーザーを選択することができる；当然、これは励起条件として２種または３種の波長のレーザーを使うことを排斥するものではない。つまり、励起に用いられるレーザーの波長は自由に選択できる。一束または二束または三束のレーザーを自由に選択でき、上記各組のレーザ光源モジュールの励起に用いる。レーザー束ことの波長は、上記光源に使われるインクが硬化された後に形成した光源の吸収スペクトルで決まる。特に、従来技術で使われる複数束の異なる色の光を走査発光と画像表示に用いることとは違って、本発明ではレーザー１束だけで上記光源を励起する。
【００７３】
もう一つの実施例では、上記レーザーパネルは直流電圧またはパルス電圧によって上記複数個の光源を励起する。
【００７４】
上記実施例おいて、それはもう一種の励起方式を開示したことになる。当然、フェムト秒レーザーに励起されても、または直流電圧もしくはパルス電圧に励起されても、ずべてインクが硬化された後に形成する光源自体で決まる。言葉を変えると、上記レーザー染料は一定の直流電圧またはパルス電圧に励起される特徴を有するべきなことは明らかてある。例えば直流電圧は約３Ｖである。
【００７５】
もう一つの実施例では、上記レーザーパネルを１個の画像表示に用いる場合、上記各組のレーザー光源モジュールが励起されて発射する光は、全て上記画像の一つの画素に対応する。
【００７６】
上記実施例について言えば、上記各組のレーザー光源モジュールは画素レベルであることを意味する。これはより精細な画像表示に有利であり、レーザー技術のＨＤおよび超ＨＤ表示分野での応用を推進する。
【００７７】
もう一つの実施例で、直流電圧での励起方式を採用した場合、各組のレーザー光源モジュールは薄膜トランジスタにより駆動されるか、または他の薄膜トランジスタにより駆動されても良い。例えば、酸化物半導体薄膜トランジスタ、多結晶シリコン薄膜トランジスタ、アモルファスシリコン薄膜トランジスタがある。１束または多数束のフェムト秒レーザー励起のような方法と比較して、直流電圧の励起方法では単独、甚しくは同時に画素ことの制御をすることができる。これは、画素レベルのレーザーパネルにとって非常に有益である。ついてに、このような励起方法は、レーザーディスプレイ分野の設備体積も大幅に縮小させる。材料の違いによっては、必要に応じて直流電圧をパルス電圧に変更することもある。
【００７８】
もう一つの実施例では、上記複数個の光源中の個々の光源は全てミリメートルサイズ、またはマイクロメートルサイズまたはより小さいサイズ、例えば、ナノメートルサイズである。
【００７９】
説明した上記実施例ついて言えば、各光源のサイズが小さいほど、各組のレーザー光源モジュールのサイズも小さくなり、より高い解像度画像表示の実現に有利である。もし、各組のレーザー光源モジュール中のいずれの１個の光源を１個の微半球構造とみなす場合、解像度条件に合わせて解像度に似合うようなサイズの微半球構造を製造することができる。上記いずれの１個の光源の微半球構造のサイズは、１５、３５、４５、８５、１００マイクロメートルなどで良いし、甚しくはより小さくて良い。もし、いずれの１個の光源の微半球構造のサイズがミリメートル級である場合は、屋外の大型スクリーン表示技術に適用できる。
【００８０】
微半球構造中の光学モードはエコーウォールモードであることが分かる。異なるサイズの微半球構造において、そのモード間隔は異なる。エコーウォールモード理論に基づき、半球直径が小さいほどそのモード間隔は大きくなり、利得領域内に存在するモード数がより少なくなり、モード数が１個までに減少した場合は、シングルモードレーザーとなり、最高の単色性が得られる。
【００８１】
さらに、ある光源に対応する微半球構造の半球直径が一定サイズまで小さくなり、かつ上記一定サイズと上記光源が励起した発射光がシングルモードレーザーと対応関係を持つ場合、それから発射されたシングルモードレーザーはさらにレーザーの色域範囲を広げることができる。例示的で非制限的なものとして、上記一定サイズは約１５マイクロメートルである。
【００８２】
もう一実施例では、各組のレーザー光源モジュールはＲＧＢ３つの光源を含む。これはＲＧＢ三原色原理で混色しやすくするためてあることも理解しやすい。前文を参照し、もし１束のフェムト秒レーザーで励起かつ混色する場合、当フェムト秒レーザーは上記ＲＧＢ  ３つの光源を同時励起することを必須とし、三原色原理で混色し各色を造り安くする。類似的に、もし直流電圧で励起すれば、より精細な制御を実現できる。ＲＧＢ  ３つの光源に対して個別にその電圧を制御することで、三原色原理で混色し各種色も造りやすくする。
【００８３】
もう一実施例では、上記インクジェット印刷のインクは、発光染料とホスト材料とを含む。例示的に、上記発光染料は溶媒により上記ホスト材料との溶液を形成することで、インクを製造しうる。
【００８４】
上記実施例にとって、インクは液体であるため、その処方には溶媒以外にも、主にホスト材料と発光染料とを含む。
【００８５】
仮に、ＲＧＢ三原色光源を造るため、好ましくは、発光染料としてローダミンＢと、フルオレセインナトリウム塩と、ｐ−スチルベンと、を用いる；ホスト材料としてウシ血清蛋白（ＢＳＡ）を、溶媒として水を、補助材料としてグリセロールを用いる。
【００８６】
そのうち、発光染料の選択肢は非常に広範囲である。発光染料は、光誘起レーザーの染料を選択して良い。当業者にとっては、発光色の必要に合わせて発光波長の染料を選択すれば良い。そして、発光染料はオリゴポリスチレン系ブルーライト染料、またはクマリン１５３またはクマリン６などのクマリン系グリーンライト染料、またはローダミン６Ｇなどローダミン系染料、またはヘミシアニン系レッドライト染料を選択しても良い。より一般的に、発光染料としては、電気誘起レーザーの染料を選択しても良い。電圧により励起されるので、インクが固化された後に形成する光源自体のエレクトロルミネセンス特性と必然的な関連性をもつ。具体的な電圧値（または数値範囲）は、上記エレクトロルミネセンス特性で決まる。
【００８７】
例示的に、ホスト材料はレーザーキャビティの支持材として、レーザー染料と材料的相溶性さえあれば良い。理解しやすいのは、材料の相溶性が良いほど、ホスト材料として使える。ホスト材料が良い加工性をもつほうが良いことも分かりやすいことである。例えば、ホスト材料としてポリスチレン、ポリメチルメタクリレート、ＮＯＡ１６２５、ＮＯＡ６８等のＮＯＡ系光硬化材料などを選択して良い。
【００８８】
より好ましくは、水以外に、溶媒としてジクロロメタン、トリクロロメタン、ジメチルホルムアミドなどを選択しても良い。
【００８９】
そして、補助材料の選択原則は：溶剤揮発性の低減に有利である一方、インクが印刷中に硬化されないよう確保すべきてある。例示的に、補助材料としては一般的に液状のポリマープレポリマーを選択するが、これは光照射または加熱処理を経てこそ硬化される。それ以外に、補助材料として熱硬化エポキシ樹脂、ＮＯＡ系光硬化接着剤などを選択しても良い。
【００９０】
より好ましくは、具体的な処方は以下から選ばれるいずれの一種を採用する：
ｐ−スチルベン、フルオレセインナトリウム塩及びローダミンＢ三種のレーザー染料をそれぞれ３００−１０００ｍｇ／ｍＬのＢＳＡ水溶液に添加し、そのうち、３つの染料とＢＳＡとの質量比は各自１−３％であり、その後グリセロールを入れるが、グリセロールと水との体積比は１：１−４であり、好ましくは  １：２である；
より好ましくは、上記インクは以下から選ばれるいずれの処方を採用する：
（１）ｐ−スチルベン、フルオレセインナトリウム塩及びローダミンＢ三種のレーザー染料をそれぞれ４００ｍｇ／ｍＬのＢＳＡ水溶液に添加し、そのうち、３つの染料とＢＳＡとの質量比は全て１％である。最後にグリセロールを入れるが、グリセロールと水との体積比は１：２である。
【００９１】
（２）ｐ−スチルベン、フルオレセインナトリウム塩及びローダミンＢ三種のレーザー染料をそれぞれ８００ｍｇ／ｍＬのＢＳＡ水溶液に添加し、そのうち、３つの染料とＢＳＡとの質量比は全て１％である。最後にグリセロールを入れるが、グリセロールと水との体積比は１：２である。
【００９２】
（３）ｐ−スチルベン、フルオレセインナトリウム塩及びローダミンＢ三種のレーザー染料をそれぞれ５００ｍｇ／ｍＬのＢＳＡ水溶液に添加し、そのうち、ｐ−スチルベン、フルオレセインナトリウム塩及びローダミンＢとＢＳＡとの質量比は各自２％、２％、１％である。最後にグリセロールを入れるが、グリセロールと水との体積比は１：２である。
【００９３】
（４）上記具体的な処方の用量以外にも多くの選択肢があるが、そのうち、ＢＳＡ水溶液の溶解度雰囲気は３００−１０００ｍｇ／ｍＬ  である。ローダミンＢ、フルオレセインナトリウム塩及びｐ−スチルベンとＢＳＡとの質量比は各自１％−２％、１％−３％、及び１％−３％である。グリセロールと水との体積比は３０％−１００％である。
【００９４】
もう一つの実施例のなかで、上記処方（１）〜（３）を採用した場合、上記レーザーパネル内の各組のレーザー光源モジュールは、３３５−３７５ｎｍフェムト秒レーザーの励起下で励起され発光する。前記記載のよう波長は、吸収スペクトルで決まる。
【００９５】
もう一つの実施例のなかで、上記印刷ヘッドのサイズは、上記個々光源のサイズで決まる。
【００９６】
読み取れることは、印刷ヘッドのサイズは、前文記載の微半球構造の半球直径と関係しており、半球直径で決まる。上記印刷ヘッドサイズの選択範囲は、５、１０、２０、３０、４０、５０、６０マイクロメートルなどである。もし、マイクロメートルより小さい微半球構造を造る必要があれば、印刷ヘッドのサイズはそれ以上小さくできない場合は、インク液滴サイズを調整可能なインクジェットプリンタを、適合性改良することで、インクジェット印刷による本発明記載の光源を製造することができる。前記記載のよう、もし、ミリメートル級の微半球構造を得たい場合は、プリントヘッドのサイズを適切に大きくする。
【００９７】
インク液滴サイズを調整可能なインクジェットプリンタは、以下の従来技術中の特許文献記載を参照する。即ち、ＣＮ１８７６３７５  Ａ、ＵＳ８０４２８９９  Ｂ２、ＵＳ８７１４６９２  Ｂ１、ＵＳ８９５５９３７  Ｂ２、ＵＳ８９８５７２３  Ｂ２、ＵＳ９５７３３８２  Ｂ１である。これらの特許文献はともに本発明明細書に編み込むが、これらは従来技術中のインクジェットプリンタに関わる技術の一部にすぎないことを声明する必要がある。従来技術を全て書き上げることはできないため、参照または改良できる他の先行技術はこれ以上列挙しない。
【００９８】
図１を参考し、本発明の一実施例では、レーザーアレイ装置を開示しいる。
【００９９】
上記レーザーアレイ装置は、複数組の独立したレーザー光源モジュールを含む；各組のレーザー光源モジュールは複数個の光源を含む；上記複数個の光源は全てインクジェット印刷にて製造しうる。
【０１００】
上記実施例にとって言えば、まずは、インクジェット印刷によるレーザーアレイ装置の製造を実現した。これはレーザーアレイ装置の安価かつ工業化製造に新しい技術案を提供する。次に、上記レーザーアレイ装置は、複数組の独立したレーザー光源モジュールを含むため、各組のレーザー光源モジュールは発光する際に相互独立され、その発射光間にはレーザーコヒーレンス重合が生成し難くなり、よく見られるレーザーコヒーレンスによるスペックル現象を大幅に解消する。
【０１０１】
わかることは、インクジェット印刷ではインクを必要とする。レーザーアレイ装置に対応して、上記インクはレーザー染料をドーピングしたポリマー溶液を用いられる。
【０１０２】
もう一つの実施例では、上記複数個の光源のうち少なくとも２つの光源は、同じ励起条件下で異なる色の光を発射する。
【０１０３】
上記実施例にとって言えば、これにより、少なくとも２つの光源だけで各組のレーザ光源モジュールの混色を実現できる。より有利なことは、上記実施例で同じ励起条件を基盤に、フェムト秒レーザーで上記光源を励起する例をあげたため、当業者は、一種の波長のフェムト秒レーザーのみで少なくとも２つの光源の混色を実現できる。即ち、一束の光で少なくとも２つの光源を励起し、混色を実現する。
【０１０４】
わかることは、インクジェット印刷の上記複数個の光源は、全てインクにて印刷され、上記複数個の光源は一般的に微球形であり、より好ましくは、半球形である。上記レーザーアレイ装置内の光源を製造しうる過程で、採用した上記インクジェット印刷のインクは液体であるが、得られた光源は最終的に固体であるため、インクジェットでの印刷中は一般的に個々の光源同士は接触させず、相互融合を防止する。
【０１０５】
ということは、個々の光源同士は一般的に接触させず、間隔を持たす。もし、個々の光源を半球と理解する場合、複数個の光源にとっては、第１半球と第２半球（甚しくは第３半球などでさえ）は互いに接しない。
【０１０６】
理解できることは、少なくとも２つの光源の混色の中で、選択的に、フェムト秒レーザーにて上記少なくとも２つの光源を励起させるが、一束のフェムト秒レーザーだけを用いる場合、このフェムト秒レーザーは上記少なくとも２つの光源を同時励起することを必須とする。こうなった場合、上記複数個の光源のうち少なくとも２つの光源は、同じ励起条件下で異なる色の光を発射することができるので、上記実施例は上記各組のレーザー光源モジュールでの混色を実現したことになる。混色は非常に意義のあることであり、例えば、ＲＧＢ三原色だげで様々な色を造れる。
【０１０７】
指摘すべきなのは、本発明では、上記複数個の光源の少なくとも２つの光源が同じ励起条件下で同じ色の光を発射することを許容する。例えば、ある特定の単色の強光を実現するためには、各組のレーザー光源モジュール内の複数個の光源は同じ光源でも良いので、上記複数個の光源の個々の光源全てが同じ励起条件下で同じ色の光を発射すれば良い。このようなレーザーアレイはサーチライト分野に用いられる。
【０１０８】
上文では、もう一つの実施例のなかで、上記各組のレーザー光源モジュールはフェムト秒レーザーにより上記複数個の光源を励起することを指摘した。以下、フェムト秒レーザーに関する実施例をさらに詳しく説明する。
【０１０９】
読み取れることは、具体的なフェムト秒レーザーのパラメーター、例えば波長は、上記インクが硬化されて形成した光源自体で決まる。レーザーに励起されることは、必ずインクが硬化されて形成した光源自体が吸収するスペクトルと関係する。即ち、ここでいう波長は、インクが硬化されて形成した光源の吸収スペクトルで決まる。
【０１１０】
仮に、各組のレーザー光源モジュールに３つの光源が含まれ、個々の光源をインクジェット印刷で具体的なレーザー染料にて印刷する際、３種の染料で製造した上記３つの光源は全て同じ波長のレーザーによって励起される場合、当業者は、励起条件としてこの波長のレーザーを選択することができる。当然、これは励起条件として２種または３種の波長のレーザーを使うことを排斥するものではない。つまり、励起に用いられるレーザーの波長は自由に選択することができる。一束または二束または三束のレーザーを任意的に選択でき、上記各組のレーザ光源モジュールを励起する。レーザー束ことの波長は、上記光源の吸収スペクトルで決まる。特に、従来技術で使われる複数束の異なる色の光を走査発光と画像表示とに用いることとは違って、本発明ではレーザー１束だけで上記光源を励起すればよいのである。
【０１１１】
もう一つの実施例では、上記レーザーアレイ装置は直流電圧にて上記複数個の光源を励起する。
【０１１２】
上記実施例とって、それはもう一種の励起方式を開示したことになる。当然、フェムト秒レーザーに励起されでも、または直流電圧またはパルス電圧に励起されでも、全てインクが硬化された後に形成する光源自体で決まる。言葉を変えると、上記レーザー染料は一定の直流電圧またはパルス電圧に励起される特徴を有するべきなことは明らかてある。例えば直流電圧は約３Ｖである。
【０１１３】
もう一つの実施例では、上記レーザーアレイ装置を１個の画像表示に用いる場合、上記各組のレーザー光源モジュールが励起されて発射する光は、全て上記画像の一つの画素に対応する。
【０１１４】
上記実施例にとって言えば、上記各組のレーザー光源モジュールは画素レベルであることを意味する。これでより精細な画像表示が可能となり、レーザー技術のＨＤおよび超ＨＤ表示分野での応用を推進する。
【０１１５】
もう一つの実施例で、直流電圧での励起方式を採用した場合、各組のレーザー光源モジュールは、薄膜トランジスタにより駆動されても、または他の薄膜トランジスタにより駆動されても良い。例えば、酸化物半導体薄膜トランジスタ、多結晶シリコン薄膜トランジスタ、アモルファスシリコン薄膜トランジスタがある。１束または多数束のフェムト秒レーザー励起のような方法と比較して、直流電圧での励起方法は単独、甚しくは同時に個々の画素さえも制御することができる。これは、画素レベルのレーザーアレイ装置にとって非常に有益である。ついてに、このような励起方法は、レーザーディスプレイ分野の設備体積も大幅に縮小させる。材料の違いによって、直流電圧を必要に応じてパルス電圧に変更する可能性もある。パルス周波数と振幅は表示に必要なリフレッシュレートと合致すればよい。
【０１１６】
それ以外に、本発明のもう一つの実施例では、さらに一種のレーザープロジェクターを開示しておる。上記レーザープロジェクターはいずれかの前記レーザーアレイ装置を含む。
【０１１７】
それ以外に、本発明ではさらに一種のレーザー薄膜を開示しておる。上記レーザー薄膜はいずれかの前記レーザーアレイ装置を含む。
【０１１８】
上記レーザープロジェクターおよびレーザー薄膜において、本発明の上記レーザーアレイ装置の応用範囲を拡大したことになる。例えば、上記レーザーアレイ装置はプロジェクタの光源として用いられる。一般的に、インクジェット印刷過程は、基板次第であるが、その上でインクジェットによる光源を印刷しやすいさえで良い。より好ましく、基板は一定の透光性を必要とする。しかしながら、レーザー薄膜に用いる場合、上記レーザーアレイ装置の基板が必要な可撓性をもつことは容易に理解できる。
【０１１９】
図１中の（ｂ）と（ｃ）とを参照し、本発明の一実施例では、レーザーディスプレイのコア要素であるパネルを開示している。図１を持って、本発明の一実施例ではレーザーディスプレイを開示している。上記レーザーディスプレイはレーザーパネルを含む；上記レーザーパネルは多数組の独立したレーザー光源モジュールを含む；
レーザー光源モジュール組ことに複数個の光源を含む；上記複数個の光源は全てインクジェット印刷で製造しうる。
【０１２０】
上記実施例にとって言えば、まずは、インクジェット印刷でレーザーディスプレイのコア部品であるパネルを製造し得ることを実現した。これはレーザーディスプレイの安価かつ工業化製造に新しい技術案を提供する；その次に、上記レーザーパネルには複数組の独立したレーザ光源モジュールが含まれるので、各レーザー光源モジュール組は発光する際に個別に独立され、発射光間のレーザーコヒーレンス重合が発生し難くなることで、よく見られるレーザーコヒーレンスによるスペックル現象を大幅に解除することにつながる。
【０１２１】
インクジェット印刷でインクを必要とすることが分かる。レーザーパネルに対応して、上記インクはレーザー染料をドーピングしたポリマー溶液を採用する。
【０１２２】
もう一つの実施例では、上記複数個の光源のうち少なくとも２つの光源は、同じ励起条件下で異なる色の光を発射することができる。
【０１２３】
上記実施例にとって言えば、これにより少なくとも２つの光源さえあれば各レーザー光源モジュール組の混色を実現できる。より有利なことは、上記実施例では同じ励起条件を基盤に、上記光源をフェムト秒レーザーで励起することを例示したことを構えると、当業者は、１種の波長のフェムト秒レーザーだけで少なくとも２つの光源の混色を実現することができる。即ち、１束の光で少なくとも２つの光源を励起し、混色を実現する。
【０１２４】
わかることは、インクジェットで印刷した上記複数個の光源は全てインクで印刷されており、上記複数個の光源は一般的に微球形であり、確実に言えば半球形である。上記光源を製造する過程において、インクジェット印刷に使われるインクは液体であるが、造られた光源は最終的に固体であるため、インクジェット印刷を行う過程では一般的に個々の光源同士を接触させず、互い融合されることを防ぐものとする。
【０１２５】
つまり、個々の光源どうしは一般的に接触させず、間隔を持たす；もし個々の光源を半球と理解すれば、複数個の光源にとって言えば、第１半球と第２半球（甚しくはでは第３半球などでさえ）とは互いに接しない。
【０１２６】
理解できることは、少なくとも２つの光源を混色するにあたり、選択的に、フェムト秒レーザーで上記少なくとも２つの光源を励起するが、１束のフェムト秒レーザーだけを使うのであれば、そのフェムト秒レーザーは少なくとも上記２つの光源を同時励起することを必須とする。こうなった場合、上記複数個の光源のうち少なくとも２つの光源は、同じ励起条件下で異なる色の光を発射することができるので、上記実施例は上記各組のレーザー光源モジュールでの混色を実現することになる。混色は非常に意義のあることであり、例えば、ＲＧＢ三原色だげで様々な色を造れる。
【０１２７】
指摘すべきなのは、本発明では、上記複数個の光源の少なくとも２つの光源が同じ励起条件下で同じ色の光を発射することを許容する。例えば、ある特定単色の強光を実現するためには、各組のレーザー光源モジュール内の複数個の光源は同じ光源でも良いので、上記複数個の光源はすべて光源別に同じ励起条件下で同じ色の光を発射すれば良い。このようなレーザーディスプレイは単色表示分野に用いられる。
【０１２８】
上文、もう一つの実施例のなかで、上記各組のレーザー光源モジュールは、フェムト秒レーザーにより上記複数個の光源を励起することを指摘した。以下、フェムト秒レーザーに関する実施例をさらに詳しく説明する。
【０１２９】
具体的なフェムト秒レーザーのパラメーター、例えば波長は、上記インクが硬化されて形成した光源自体で決まる。レーザーに励起されることは、必ずインクが硬化されて形成した光源自体が吸収するスペクトルと関係する。即ち、ここでいう波長は、インクが硬化されたあと形成した光源の吸収スペクトルで決まる。
【０１３０】
仮に、各組のレーザー光源モジュールに３つの光源が含まれ、個々の光源を一種の具体的なレーザー染料にてインクジェット印刷した場合、３種の染料で製造した上記３つの光源は全て同じ波長のレーザーで励起できるため、当業者は、励起条件としてこの波長のレーザーを選択することができる。当然、これは励起条件として２種または３種の波長のレーザーを使うことを排斥するものではない。つまり、励起に用いられるレーザーの波長は自由に選択することができる。一束または二束または三束のレーザーを自由に選択でき、上記各組のレーザ光源モジュールを励起する。なおレーザー束ことの波長は、上記光源に使われるインクが硬化された後に形成する光源の吸収スペクトルで決まる。特に、従来技術で複数束の異なる色の光を走査発光と画像表示とに用いることとは違って、本発明ではレーザー１束だけで上記光源を励起する。
【０１３１】
もう一つの実施例で、上記レーザーディスプレイは、上記レーザーパネルおよびレーザー発射装置以外にも、さらに回転反射ミラーと、走査制御器、およびシングル入力ユニットとを含む；
上記レーザー発射装置は、発光時にフェムト秒レーザーを１束だけを発射するが、上記フェムト秒レーザーは上記回転反射ミラーに投射されるともに、上記回転反射ミラーに反射され上記レーザーパネルのレーザー光源を励起する；
上記シングル入力ユニットは、表示待ちのデジタル画像シングルの入力に用いられるともに、制御シングルを走査制御器に出力する；上記走査制御器は、受信した制御シングルに基づき回転反射ミラーの回転を制御することで、上記フェムト秒レーザー１束は対応するレーザー光源を励起させる。
【０１３２】
上記実施例を活用するにあたり、本発明では従来レーザーディスプレイにおけるいずれの適切な走査方式を使って良いが、一目置くべきなのは、本発明ではフェムト秒レーザー１束のみで良い。
【０１３３】
もう一つの実施例で、上記レーザーディスプレイは直流電圧またはパルス電圧にて上記複数個の光源を励起する。
【０１３４】
上記実施例にとっては、それはもう一種の励起方式を開示したことになる。当然、フェムト秒レーザーに励起されても、直流電圧またはパルス電圧に励起されても、全てインクが硬化された後に形成する光源自体で決まる。言葉を変えると、上記レーザー染料は一定の直流電圧またはパルス電圧に励起される特徴を有するべきなことは明らかてある。例えば直流電圧は約３Ｖである。
【０１３５】
もう一つの実施例では、上記レーザーディスプレイを１個の画像表示に用いる場合、上記各組のレーザー光源モジュールが励起されて発射する光は、全て上記画像の一つの画素に対応する。
【０１３６】
上記実施例に限って言えば、上記各組のレーザー光源モジュールは画素レベルであることを意味する。これでより精細な画像表示が実現され、レーザー技術のＨＤおよびスパーＨＤ表示分野での応用を推進する。
【０１３７】
もう一つの実施例の中で、直流電圧での励起方式を採用した場合、各組のレーザー光源モジュールは、薄膜トランジスタにより駆動されるか、または他の薄膜トランジスタにより駆動されても良い。例えば、酸化物半導体薄膜トランジスタ、多結晶シリコン薄膜トランジスタ、アモルファスシリコン薄膜トランジスタがある。１束または多数束のフェムト秒レーザー励起のような方法と比較して、直流電圧での励起方法は単独、甚しくは個々の画素さえも同時制御することができる。これは、画素レベルのレーザーディスプレイにとって非常に有益である。ついてに、このような励起方法は、レーザーディスプレイ分野の設備体積を大幅に縮小させる。材料の違いによっては、直流電圧を必要に合わせてパルス電圧に変更する可能性もある。パルス周波数と振幅は表示に必要なリフレッシュレートと合致すればよい。
【０１３８】
本発明の一実施例では、電圧駆動型レーザーディスプレイを開示している。  図１の（ｂ）および（ｃ）は、その核心部品であるパネルの概略図を示す。  上記レーザーディスプレイにとって、レーザーパネルを含む；
上記レーザーパネルは、複数組の独立したレーザー光源モジュールを含む；
各組のレーザー光源モジュールは複数個の光源を含む；
上記複数個の光源はすべてインクジェット印刷で製造され、かつ直流電圧またはパルス電圧の作用下で励起される。
【０１３９】
上記実施例にとって言えば、まずは、インクジェット印刷によるレーザーディスプレイの核心部品であるパネルの製造を実現した。これは、レーザーディスプレイの安価かつ工業化製造に新しい技術案を提供する。次に、上記レーザーレーザーパネルは複数組の独立したレーザー光源モジュールを含むため、各レーザー光源モジュール組が発光するとき互い独立され、それからの発射光間にはレーザーコヒーレンス重合が発生し難くなり、よく見られるレーザーコヒーレンスによるスペックル現象を大幅に解消する。さらに、上記複数個の光源は、直流電圧またはパルス電圧の作用下で励起されるので、上記実施例ではレーザーディスプレイのより小型化を実現できる。
【０１４０】
もう一つの実施例で、上記複数個の光源中の個々の光源にとって、それらは駆動ユニットに独立的に個別制御される。
【０１４１】
当該実施例にとって言えば、直流電圧での励起方式を採用した場合、各組のレーザー光源モジュールと、甚しくはそのうちの個々の光源とは全て薄膜トランジスタにより駆動されるか、または他の薄膜トランジスタにより駆動されても良い。例えば、酸化物半導体薄膜トランジスタ、多結晶シリコン薄膜トランジスタ、アモルファスシリコン薄膜トランジスタがある。１束または多数束のフェムト秒レーザー励起方法と比較して、単独・甚しくは個々の光源を同時制御するとき、これは画素レベルのレーザーディスプレイにとって非常に有益であり、表示効果の全面改善にも有益である。説明必要なことは、駆動方法は基板と相関性ともち、採用した具体的な駆動方法によってそれに似合う選択可能な基板も決まってくる。
【０１４２】
インクジェット印刷はインクを必要とすることがわかる。レーザーパネルに対応して、上記インクはレーザー染料をドーピングしたポリマー溶液を採用して良い。
【０１４３】
もう一つの実施例で、上記レーザーディスプレイのコア部品であるパネルにおいて、その基板の選択は、その上で光源をインクジェット印刷し易ければ良い。より好ましくは、基板は一定の透光性をもつ必要がある。電圧駆動を実現するため、基板はアクティブマトリックス構造またはパッシブマトリックス構造を採用することは容易に理解できる。例示的に、多結晶シリコン電界効果トランジスタまたは薄膜トランジスタ構造を含むバックプレーンを使う。前文実施例に記載のよう、駆動方式は基板と相関性を持つため、採用する具体的な駆動方式により、それに似合う選択可能な基板も決まってくる。
【０１４４】
もう一つの実施例で、上記複数個の光源のうち少なくとも２つの光源は、同じ励起条件下で異なる色の光を発することができる。
【０１４５】
上記実施例にとって言えば、これにより少なくとも２つの光源さえあれば各組レーザー光源モジュールの混色が実現できる。より有利なことは、上記実施例で同じ励起条件を基盤とするため、当業者は、適切な範囲内の電圧駆動のみで少なくとも２つの光源の混色を実現することができる。即ち、普遍性のある電圧範囲により少なくとも２つの異なる色の光を励起することで、混色を実現する。
【０１４６】
インクジェットで印刷した上記複数個の光源は全てインクで印刷されており、上記複数個の光源は一般的に微球形であり、確実に言えば半球形であることがわかる。上記光源を製造しうる過程において、インクジェット印刷に使われるインクは液体であるが、造られた光源は最終的に固体であるため、インクジェットでの印刷過程は一般的に個々の光源どうしを接触させず、互い融合されることを防ぐ。
【０１４７】
つまり、個々の光源どうしは一般的に接触させず、なお間隔を持たす；もし個々の光源を半球と理解すれば、複数個の光源にとって、第１半球と第２半球（甚しくは第３半球などでさえ）とは互いに接しない。
【０１４８】
上記複数個の光源のうち少なくとも２つの光源は、同じ励起条件下で異なる色の光を発射することができるので、上記実施例は各レーザー光源モジュール組での混色も実現しやすくなる。混色は非常に意義のあることであり、例えば、ＲＧＢ三原色だげで様々な色を造れる。なお、これらすべては、直流電圧またはパルス電圧の駆動下で、各組のレーザー光源モジュール内にある少なくとも３つの光源からＲＧＢ  ３原色の光を発射できる。
【０１４９】
指摘すべきなのは、本発明では、上記複数個の光源の少なくとも２つの光源が同じ励起条件下で同じ色の光を発射することを許容する。例えば、ある特定単色の強光を実現するためには、各組のレーザー光源モジュール内の複数個の光源は同じ光源でも良いので、上記複数個の光源の個々の光源全てが同じ励起条件下で同じ色の光を発射する。このようなレーザーディスプレイは単色表示分野に用いられる。
【０１５０】
以下、電圧駆動に関する実施例をさらに詳しく説明する。
【０１５１】
具体的な電圧駆動のパラメーター、例えば電圧値または値の範囲は、上記レーザー染料インクが硬化されたあとに形成する光源自体で決まる。電圧に励起されることは、必ずレーザー染料インク自体の電気誘起光の特性と関係する。
【０１５２】
仮に、各組のレーザー光源モジュールに３つの光源が含まれ、個々の光源を１種の具体的なレーザー染料にてインクジェット印刷するとすれば、３種の染料で製造された上記３つの光源が全て同じ数値範囲内の電圧に励起される場合、当業者は、励起条件としてこの数値範囲内の電圧を選択することができる；当然、これは励起条件として２種または３種の具体的な電圧数値を使うことを排斥するものではない。つまり、励起に用いられる直流電圧は自由に選択できるもので、産業上のニーズ及び光源を電気誘起光させる条件を満たす限り自由選択できる。この前提で、１つの電圧値（または値の範囲）、または二つまたはより多くの値を選択しても良い。したがって、従来技術で複数束の異なる色の光を、走査発光とともに画像表示用いるものとは違って、本発明では自由に直流電圧またはパルス電圧駆動技術を上記光源励起に用いることができる。そのうち、材料の違いによって、直流電圧を必要に応じてパルス電圧に変更することもある。パルス周波数と振幅値は表示に必要なリフレッシュレートと合致すればよい。
【０１５３】
自明なことで、上記レーザー染料は一定の直流電圧に励起される特徴を有するべきてある。例えば直流電圧は約３Ｖである。
【０１５４】
もう一つの実施例で、上記レーザーディスプレイを１個の画像表示に用いる場合、上記各組のレーザー光源モジュールが励起されて発射する光は、全て上記画像の一つの画素に対応する。
【０１５５】
上記実施例にとって言えば、上記各組のレーザー光源モジュールは画素レベルであることを意味する。これでより精細な画像表示が実現され、レーザー技術のＨＤおよび超ＨＤ表示分野での応用を推進する。
【０１５６】
もう一つの実施例では、各組のレーザー光源モジュールはＲＧＢ３つの光源を含む。これはＲＧＢ三原色原理で混色しやすくするためてあることも理解しやすい。前文記載のよう、もし直流電圧で励起すれば、より精細な制御が実現できるので、ＲＧＢ  ３つの光源は電圧をそれぞれ制御できるので、三原色原理で混色し様々な色を造り易くなくなる。
【０１５７】
もう一つの実施例で、上記インクジェット印刷のインクは、発光染料とホスト材料とを含む。例示的に、上記発光染料は溶媒により上記ホスト材料と溶液を形成することで、インクを製造しうる。
【０１５８】
上記実施例にとって、インクが液体であるため、その処方には溶媒以外にも、主に導電性材料と発光染料とを含む。
【０１５９】
仮に、ＲＧＢ三原色光源を造るため、好ましくは、発光染料としてＣＨ３ＮＨ２ＰｂＢｒ３とＣＨ３ＮＨ２ＰｂＣｌ３と、ＣＨ３ＮＨ２ＰｂＩ３と、を適用する。導電性材料はポリエチレンオキシド（ＰＥＯ）であり、溶媒はジメチルホルムアミド（ＤＭＦ）である。
【０１６０】
より好ましくは、具体的な処方は下記から選ばれるいずれの一種を採用して良い：
（１）１０ｍｇの  ＣＨ３ＮＨ２ＰｂＢｒ３と、ＣＨ３ＮＨ２ＰｂＣｌ３と、ＣＨ３ＮＨ２ＰｂＩ３と、をそれぞれ１ｍＬの  ＤＭＦ溶液中に添加し、さらに１０ｍｇ  のＰＥＯをそれぞれ添加して印刷用のインクを製造しうる。
【０１６１】
（２）２０ｍｇの  ＣＨ３ＮＨ２ＰｂＢｒ３と、ＣＨ３ＮＨ２ＰｂＣｌ３と、ＣＨ３ＮＨ２ＰｂＩ３と、をそれぞれ１ｍＬ  のＤＭＦ溶液中に添加し、さらに１５ｍｇ  のＰＥＯをそれぞれ添加して印刷用のインクを製造しうる。
【０１６２】
（３）４０ｍｇの  ＣＨ３ＮＨ２ＰｂＢｒ３と、ＣＨ３ＮＨ２ＰｂＣｌ３と、ＣＨ３ＮＨ２ＰｂＩ３と、をそれぞれ１ｍＬの  ＤＭＦ溶液中に添加し、さらに２０ｍｇ  のＰＥＯをそれぞれ添加して印刷用のインクを製造しうる。
【０１６３】
（４）上記の処方以外にも、さまざまな選択肢がある。ＣＨ３ＮＨ２ＰｂＢｒ３と、ＣＨ３ＮＨ２ＰｂＣｌ３と、ＣＨ３ＮＨ２ＰｂＩ３と、の溶解度範囲は１０ｍｇ／ｍＬ−４０ｍｇ／ｍＬの間であり、ＰＥＯとカルシウムチタン鉱の質量比は１：１〜１：２の間である。
【０１６４】
もう一つの実施例で、上記処方（１）から（３）を採用した際、上記レーザーディスプレイ中の各組レーザー光源モジュールは、一定の直流電圧で励起され発光する。前文記載のよう、電圧は、インク処方固有の特性で決まる。
【０１６５】
もう一つの実施例で、レーザーパネル、またはレーザーアレイ、またはレーザーディスプレイのパネル、または電圧駆動型レーザーディスプレイのパネル内の複数個の光源は、全てインクジェット印刷にて製造されるが、インクジェット印刷は１個または多数の印刷ヘッドを使って良い；上記印刷ヘッドは、逐次印刷に用いられるか、または各組のレーザー光源モジュール内の個々の光源印刷に用いられる。
【０１６６】
上記実施例において、図２を参照し、１個の印刷ヘッドを使う場合、印刷ヘッドは各組のレーザー光源モジュール内の個々の光源を逐次に印刷する。例えば、Ｒ、Ｇ、Ｂ順に赤・グリン・ブルー三つの光源を逐次に印刷する；複数個の印刷ヘッドを使う場合、多数の印刷ヘッドは一回で各組のレーザー光源モジュール内の個々の光源を印刷することは容易に理解できる。作動中の印刷ヘッドの数は、各組のレーザー光源モジュール内の光源の数より大きくまたは同じである。例えば、ＲＧＢ三つの光源の数より大きくまたは同じである。図３では、複数個の印刷ヘッド中のある特定光源向けの印刷ヘッドのみを示している。例えば、赤色光源用の複数の印刷ヘッドであるが、複数個の光源中の他の光源については示さしていない。
【０１６７】
上記実施例において、各実施例の説明は各自のポイントがあり、ある実施例で詳しく書かれてない部分は、他の実施例の関連説明を参照する。
【０１６８】
上記記載、上記実施例は本発明の技術案を説明だけであり、それに対する限定ではない；前述実施例をもって本発明を詳しく説明したが、当業者は、前述の各実施例で記載した技術案に対して修正することや、またはそのうちの一部の技術特徴に対して同等の置き換えをすることは依然と可能であることは理解する。なお、これらの修正や置き換えは、それに関連する技術案が本質的に本発明の各実施例で示す技術案の範囲から離脱することには繋がらない。
【図１】
2020521327.tif 000003
【図２】
2020521327.tif 000004
【図３】
2020521327.tif 000005
【国際調査報告】
2020521327.tif 000006
2020521327.tif 000007
2020521327.tif 000008
2020521327.tif 000009